【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
ポリアミド溶液であって、
当該ポリアミド溶液は、芳香族ポリアミド、多官能エポキシド及び有機溶媒を含み、
前記芳香族ポリアミドが、前記多官能エポキシドのエポキシ基と反応しうる１つ以上の官能基を有し、
前記芳香族ポリアミドが、下記式（Ｉ）及び（ＩＩ）で表される繰り返し単位を有する、ポリアミド溶液：
【化１】
2016504467.tif 000001
［式（Ｉ）及び（ＩＩ）において、ｘは繰り返し単位（Ｉ）のモル％を示し、ｙは繰り返し単位（ＩＩ）のモル％を示し、ｘは９０〜１００であり、ｙは１０〜０であり、
ｎは１〜４であり、
Ａｒ1は
【化２】
2016504467.tif 000002
からなる群から選択され（ここで、ｐ＝４、ｑ＝３であり、Ｒ1、Ｒ2、Ｒ3、Ｒ4、Ｒ5は水素、ハロゲン（フッ化物、塩化物、臭化物、及びヨウ化物）、アルキル、ハロゲン化アルキル等の置換アルキル、ニトロ、シアノ、チオアルキル、アルコキシ、ハロゲン化アルコキシ等の置換アルコキシ、アリール又はハロゲン化アリール等の置換アリール、アルキルエステル、及び置換アルキルエステル、並びにその組み合せからなる群から選択され、Ｇ1は共有結合、ＣＨ2基、Ｃ（ＣＨ3）2基、Ｃ（ＣＦ3）2基、Ｃ（ＣＸ3）2基（但しＸはハロゲン）、ＣＯ基、Ｏ原子、Ｓ原子、ＳＯ2基、Ｓｉ（ＣＨ3）2基、９，９−フルオレン基、置換９，９−フルオレン、及びＯＺＯ基からなる群から選択され、Ｚはフェニル基、ビフェニル基、パーフルオロビフェニル基、９，９−ビスフェニルフルオレン基、及び置換９，９−ビスフェニルフルオレン等のアリール基又は置換アリール基である。）、
Ａｒ2は
【化３】
2016504467.tif 000003
からなる群から選択され（ここで、ｐ＝４であり、Ｒ6、Ｒ7、Ｒ8は水素、ハロゲン（フッ化物、塩化物、臭化物、及びヨウ化物）、アルキル、ハロゲン化アルキル等の置換アルキル、ニトロ、シアノ、チオアルキル、アルコキシ、ハロゲン化アルコキシ等の置換アルコキシ、アリール、ハロゲン化アリール等の置換アリール、アルキルエステル、及び置換アルキルエステル、並びにその組み合せからなる群から選択され、Ｇ2は共有結合、ＣＨ2基、Ｃ（ＣＨ3）2基、Ｃ（ＣＦ3）2基、Ｃ（ＣＸ3）2基（但しＸはハロゲン）、ＣＯ基、Ｏ原子、Ｓ原子、ＳＯ2基、Ｓｉ（ＣＨ3）2基、９，９−フルオレン基、置換９，９−フルオレン、及びＯＺＯ基からなる群から選択され、Ｚはフェニル基、ビフェニル基、パーフルオロビフェニル基、９，９−ビスフェニルフルオレン基、及び置換９，９−ビスフェニルフルオレン等のアリール基又は置換アリール基である。）、
Ａｒ3は、
【化４】
2016504467.tif 000004
からなる群から選択される（ここで、ｔ＝２又は３であり、Ｒ9、Ｒ10、Ｒ11は水素、ハロゲン（フッ化物、塩化物、臭化物、及びヨウ化物）、アルキル、ハロゲン化アルキル等の置換アルキル、ニトロ、シアノ、チオアルキル、アルコキシ、ハロゲン化アルコキシ等の置換アルコキシ、アリール、ハロゲン化アリール等の置換アリール、アルキルエステル、及び置換アルキルエステル、並びにその組み合せからなる群から選択され、Ｇ3は共有結合、ＣＨ2基、Ｃ（ＣＨ3）2基、Ｃ（ＣＦ3）2基、Ｃ（ＣＸ3）2基（但しＸはハロゲン）、ＣＯ基、Ｏ原子、Ｓ原子、ＳＯ2基、Ｓｉ（ＣＨ3）2基、９，９−フルオレン基、置換９，９−フルオレン、及びＯＺＯ基からなる群から選択され、Ｚは、フェニル基、ビフェニル基、パーフルオロビフェニル基、９，９−ビスフェニルフルオレン基、及び置換９，９−ビスフェニルフルオレン等のアリール基又は置換アリール基である。）］。
【請求項２】
前記芳香族ポリアミドの少なくとも１つの末端がエポキシ基と反応しうる官能基である、請求項１に記載のポリアミド溶液。
【請求項３】
前記芳香族ポリアミドの少なくとも１つの末端がエンドキャップされている、請求項１または２に記載のポリアミド溶液。
【請求項４】
前記ｘは９０〜９９モル％であり、前記ｙは１０〜１モル％である、請求項１から３のいずれかに記載のポリアミド溶液。
【請求項５】
前記芳香族ポリアミドが、構造（Ｉ）及び（ＩＩ）の繰り返し単位を複数含み、Ａｒ1、Ａｒ2、及びＡｒ3は同一又は異なる、請求項１から４のいずれかに記載のポリアミド溶液。
【請求項６】
前記多官能エポキシドが、２つ以上のグリシジル基を持つエポキシド、又は、２つ以上の脂環基を持つエポキシドである、請求項１から５のいずれかに記載のポリアミド溶液。
【請求項７】
前記多官能エポキシドが、式（ＩＩＩ）及び（ＩＶ）で表されるものからなる群から選択される、請求項１から６のいずれかに記載のポリアミド溶液
【化５】
2016504467.tif 000005
式（ＩＩＩ）において、ｌはグリシジル基の数を表し、Ｒは、
【化６】
2016504467.tif 000006
からなる群から選択され、
ｍは１〜４であり、
ｎ及びｓは平均ユニット数を表し、それぞれ独立して０〜３０であり、
Ｒ12は、水素、ハロゲン（フッ素、塩素、臭素、及びヨウ素）、アルキル、ハロゲン化アルキル等の置換アルキル、ニトロ、シアノ、チオアルキル、アルコキシ、ハロゲン化アルコキシ等の置換アルコキシ、アリール、ハロゲン化アリール等の置換アリール、アルキルエステル、及びハロゲン化アルキルエステル等の置換アルキルエステル並びにその組み合せからなる群から選択され、
Ｇ4は、共有結合、ＣＨ2基、Ｃ（ＣＨ3）2基、Ｃ（ＣＦ3）2基、Ｃ（ＣＸ3）2基（但しＸはハロゲン）、ＣＯ基、Ｏ原子、Ｓ原子、ＳＯ2基、Ｓｉ（ＣＨ3）2基、９，９−フルオレン基、置換９，９−フルオレン基、及びＯＺＯ基からなる群から選択され、
Ｚは、フェニル基、ビフェニル基、パーフルオロビフェニル基、９，９−ビスフェニルフルオレン基、及び置換９，９−ビスフェニルフルオレン基等のアリール基又は置換アリール基であり、
Ｒ13は水素またはメチル基であり、
Ｒ14は、２価の有機基であり、
式（ＩＶ）において、環構造（cyclic structure）は、
【化７】
2016504467.tif 000007
からなる群から選択され、
Ｒ15は、炭素数が２〜１８のアルキル鎖であり、直鎖、分枝鎖、又はシクロアルカン構造を含む鎖であってよく、
ｍ及びｎは、平均ユニット数であり、それぞれ独立して１〜３０の数であり、
ａ、ｂ、ｃ、ｄ、ｅ及びｆは、それぞれ独立して、０〜３０の数である。
【請求項８】
前記多官能エポキシドが、
【化８】
2016504467.tif 000008
［上記式Ｒ16は、炭素数が２〜１８のアルキル鎖であり、直鎖、分枝鎖、又は環状骨格を有する鎖であってよく、ｔ及びｕは、それぞれ独立して１〜３０の数である。］
である、請求項１から７のいずれかに記載のポリアミド溶液。
【請求項９】
前記有機溶媒は極性溶媒又は１つ以上の極性溶媒を含む混合溶媒である、請求項１から８のいずれかに記載のポリアミド溶液。
【請求項１０】
前記有機溶媒は、クレゾール、Ｎ，Ｎ−ジメチルアセトアミド（ＤＭＡｃ）、Ｎ−メチル−２−ピロリドン（ＮＭＰ）、ジメチルスルホキシド（ＤＭＳＯ）、ブチルセロソルブ（ＢＣＳ）、および１，３−ジメチルイミダゾリジノン（ＤＭＩ）からなる群から選択される少なくとも１つを含む、請求項１から９のいずれかに記載のポリアミド溶液。
【請求項１１】
支持材に塗布され、前記支持材上にポリアミドフィルムを形成するために用いられる、請求項１から１０のいずれかに記載のポリアミド溶液。
【請求項１２】
請求項１から１１のいずれかに記載のポリアミド溶液を、２００℃未満の温度で支持材へキャストしてフィルム化する工程と、
前記支持材上のポリアミドフィルムを加熱して硬化させ、耐溶剤耐性を有するポリアミドフィルムを得る工程と、
前記ポリアミドフィルムの表面上に、ディスプレイ用素子、光学用素子、又は照明用素子を形成する工程と、を含むディスプレイ用素子、光学用素子、又は照明用素子の製造方法。
【請求項１３】
前記ポリアミドフィルムの表面上に、ディスプレイ用素子、光学用素子、又は照明用素子を形成する前記工程の後、前記支持材を剥離する工程をさらに含む、請求項１２に記載のディスプレイ用素子、光学用素子、又は照明用素子の製造方法。
【請求項１４】
前記支持材が、ガラス、金属、シリコン、または樹脂からなる、請求項１２または１３に記載のディスプレイ用素子、光学用素子、又は照明用素子の製造方法。
【手続補正２】
【補正対象書類名】明細書
【補正対象項目名】発明の名称
【補正方法】変更
【補正の内容】
【発明の名称】溶剤耐性フレキシブル基板のためのポリアミドフィルムを製造するためのポリアミド溶液、およびディスプレイ用素子、光学用素子、又は照明用素子の製造方法